(57)【要約】【課題】砥石の突き出し作業を短時間で行える、砥石固定装置および砥石位置調整方法を提供する。【解決手段】砥石固定装置１０は、回転可能に設けられる砥石フランジ１４を含む。砥石フランジ１４の外周側面には複数のセグメント砥石Ｓがクランパ２０，２４によって固定され、複数のセグメント砥石Ｓの固定状態は調整手段によって同時に調整される。砥石フランジＳの外周側面に配置された複数のセグメント砥石Ｓは固定リング５８によって同時に突き出される。【選択図】　　　　図１
2004136403.tif 000002
【特許請求の範囲】
【請求項１】
ワークを研削するための複数の砥石を固定する砥石固定装置であって、
回転可能に設けられる砥石フランジ、
前記砥石フランジの外周側面に前記砥石を固定するための固定手段、
前記固定手段による前記砥石の固定状態を調整するための調整手段、および
前記砥石フランジの外周側面に配置された前記砥石を突き出すための突き出し手段を備える、砥石固定装置。
【請求項２】
ワークを研削するための複数の砥石を固定する砥石固定装置であって、
回転可能に設けられる砥石フランジ、
前記砥石フランジの外周側面に前記砥石を固定するための固定手段、および
前記砥石フランジの外周側面において移動可能な状態に配置された複数の前記砥石を同時に突き出す突き出し手段を備える、砥石固定装置。
【請求項３】
さらに、前記固定手段による複数の前記砥石の固定状態を同時に調整可能な調整手段を含む、請求項２に記載の砥石固定装置。
【請求項４】
ワークを研削するための複数の砥石を固定する砥石固定装置であって、
回転可能に設けられる砥石フランジ、
前記砥石フランジの外周側面に前記砥石を固定するための固定手段、
前記固定手段による複数の前記砥石の固定状態を同時に調整可能な調整手段、および
前記砥石フランジの外周側面に配置された前記砥石を突き出すための突き出し手段を備える、砥石固定装置。
【請求項５】
前記固定手段は、前記砥石を挟圧するためのテーパ部を有するクランパを含む、請求項１から４のいずれかに記載の砥石固定装置。
【請求項６】
前記クランパは前記砥石フランジの回転中心部からの放射状方向に沿って移動可能に設けられ、前記クランパに対して前記調整手段からの力が前記砥石フランジの回転中心部方向から作用するように前記調整手段が前記砥石フランジ内に設けられる、請求項５に記載の砥石固定装置。
【請求項７】
前記調整手段は液体の圧力を利用して前記砥石の固定状態を調整する、請求項１から６のいずれかに記載の砥石固定装置。
【請求項８】
前記調整手段は前記液体の増圧機構を含む、請求項７に記載の砥石固定装置。
【請求項９】
前記固定手段による固定が緩められた前記砥石を保持可能な弾性体を含む、請求項１から８のいずれかに記載の砥石固定装置。
【請求項１０】
前記突き出し手段は前記砥石を突き出すための固定リングを含む、請求項１から９のいずれかに記載の砥石固定装置。
【請求項１１】
回転可能に設けられる砥石フランジの外周側面に固定される複数の砥石の位置を調整する砥石位置調整方法であって、
前記砥石フランジの外周側面における前記砥石の固定を緩める第１ステップ、前記砥石フランジの外周側面に配置された複数の前記砥石を同時に突き出す第２ステップ、および
前記砥石フランジの外周側面に配置された前記砥石を固定する第３ステップを備える、砥石位置調整方法。
【請求項１２】
前記第２ステップは、外周側面に前記砥石が配置された前記砥石フランジを移動させて突き出し用固定リングに複数の前記砥石を押し当て当該複数の砥石を同時に突き出すステップを含む、請求項１１に記載の砥石位置調整方法。
【請求項１３】
回転可能に設けられる砥石フランジの外周側面に固定される複数の砥石の位置を調整する砥石位置調整方法であって、
前記砥石フランジの外周側面における複数の前記砥石の固定を同時に緩める第１ステップ、
前記砥石フランジの外周側面に配置された前記砥石を突き出す第２ステップ、および
前記砥石フランジの外周側面に配置された複数の前記砥石を同時に固定する第３ステップを備える、砥石位置調整方法。
【発明の詳細な説明】
【０００１】
【発明の属する技術分野】
この発明は砥石固定装置および砥石位置調整方法に関し、より特定的には、回転可能に設けられる砥石フランジの外周側面にワーク研削用の複数の砥石を固定する砥石固定装置、および砥石フランジの外周側面に固定される複数の砥石の位置を調整する砥石位置調整方法に関する。
【０００２】
【従来の技術】
両頭平面研削盤あるいは片面研削盤の精密研削砥石としてセグメント砥石が使用される（たとえば、特許文献１参照。）。
セグメント砥石は、砥石が分割されていることにより、研削屑の排出が良い、研削液の掛かりが良い、研削熱の発生が少ないなどの利点を有し、難削材などの研削に使用されている。
図７および図８を参照して、セグメント砥石Ｓは、砥石フランジ１の略多角形に形成された外周にクランパ２によって複数取り付け固定される。セグメント砥石Ｓの厚みｔは一般的に１０ｍｍ〜３０ｍｍに設定されることが多く、そのため曲げ強度があまり高くない。したがって、砥石フランジ１からの突き出し量Ｈをあまり大きく取れない。
【０００３】
【特許文献１】
特開平６−９９３６０号公報
【０００４】
【発明が解決しようとする課題】
したがって、定期的に、セグメント砥石Ｓが摩耗し突き出し量Ｈが短くなると、クランパ２を緩めセグメント砥石Ｓの突き出しをしなければならない。
しかし、セグメント砥石Ｓは多数のクランパ２と固定ボルト３とで固定されており、突き出し作業では、クランパ２を緩めセグメント砥石Ｓを突き出し再びクランパ２を締める処理を、複数のクランパ２およびセグメント砥石Ｓについて１個１個行わなければならないので、作業に時間がかかってしまう。
【０００５】
特に、近年多く生産されるようになった立型砥石軸を持つ機械では、クランパ２による固定を緩めるとセグメント砥石Ｓが落ちるので支えながら作業をしなければならず大幅に時間がかかり、一回の調整で２時間程度要することもあり、稼働率を大きく低下させていた。
また、両頭平面研削盤では、セグメント砥石Ｓが取り付けられた砥石フランジ１が対向して２枚あり作業が２倍になるので、かなりのロスタイムを発生させていた。
【０００６】
それゆえに、この発明の主たる目的は、砥石の突き出し作業を短時間で行える、砥石固定装置および砥石位置調整方法を提供することである。
【０００７】
【課題を解決するための手段】
上述の目的を達成するために、請求項１に記載の砥石固定装置は、ワークを研削するための複数の砥石を固定する砥石固定装置であって、回転可能に設けられる砥石フランジ、砥石フランジの外周側面に砥石を固定するための固定手段、固定手段による砥石の固定状態を調整するための調整手段、および砥石フランジの外周側面に配置された砥石を突き出すための突き出し手段を備える。
請求項２に記載の砥石固定装置は、ワークを研削するための複数の砥石を固定する砥石固定装置であって、回転可能に設けられる砥石フランジ、砥石フランジの外周側面に砥石を固定するための固定手段、および砥石フランジの外周側面において移動可能な状態に配置された複数の砥石を同時に突き出す突き出し手段を備える。
請求項３に記載の砥石固定装置は、請求項２に記載の砥石固定装置において、さらに、固定手段による複数の砥石の固定状態を同時に調整可能な調整手段を含むことを特徴とする。
【０００８】
請求項４に記載の砥石固定装置は、ワークを研削するための複数の砥石を固定する砥石固定装置であって、回転可能に設けられる砥石フランジ、砥石フランジの外周側面に砥石を固定するための固定手段、固定手段による複数の砥石の固定状態を同時に調整可能な調整手段、および砥石フランジの外周側面に配置された砥石を突き出すための突き出し手段を備える。
請求項５に記載の砥石固定装置は、請求項１から４のいずれかに記載の砥石固定装置において、固定手段は、砥石を挟圧するためのテーパ部を有するクランパを含むことを特徴とする。
請求項６に記載の砥石固定装置は、請求項５に記載の砥石固定装置において、クランパは砥石フランジの回転中心部からの放射状方向に沿って移動可能に設けられ、クランパに対して調整手段からの力が砥石フランジの回転中心部方向から作用するように調整手段が砥石フランジ内に設けられることを特徴とする。
【０００９】
請求項７に記載の砥石固定装置は、請求項１から６のいずれかに記載の砥石固定装置において、調整手段は液体の圧力を利用して砥石の固定状態を調整することを特徴とする。
請求項８に記載の砥石固定装置は、請求項７に記載の砥石固定装置において、調整手段は液体の増圧機構を含むことを特徴とする。
請求項９に記載の砥石固定装置は、請求項１から８のいずれかに記載の砥石固定装置において、固定手段による固定が緩められた砥石を保持可能な弾性体を含むことを特徴とする。
請求項１０に記載の砥石固定装置は、請求項１から９のいずれかに記載の砥石固定装置において、突き出し手段は砥石を突き出すための固定リングを含むことを特徴とする。
【００１０】
請求項１１に記載の砥石位置調整方法は、回転可能に設けられる砥石フランジの外周側面に固定される複数の砥石の位置を調整する砥石位置調整方法であって、砥石フランジの外周側面における砥石の固定を緩める第１ステップ、砥石フランジの外周側面に配置された複数の砥石を同時に突き出す第２ステップ、および砥石フランジの外周側面に配置された砥石を固定する第３ステップを備える。
【００１１】
請求項１２に記載の砥石位置調整方法は、請求項１１に記載の砥石位置調整方法において、第２ステップは、外周側面に砥石が配置された砥石フランジを移動させて突き出し用固定リングに複数の砥石を押し当て当該複数の砥石を同時に突き出すステップを含むことを特徴とする。
【００１２】
請求項１３に記載の砥石位置調整方法は、回転可能に設けられる砥石フランジの外周側面に固定される複数の砥石の位置を調整する砥石位置調整方法であって、砥石フランジの外周側面における複数の砥石の固定を同時に緩める第１ステップ、砥石フランジの外周側面に配置された砥石を突き出す第２ステップ、および砥石フランジの外周側面に配置された複数の砥石を同時に固定する第３ステップを備える。
【００１３】
請求項１に記載の砥石固定装置では、砥石フランジに伴って回転される複数の砥石にてワークを研削することによって当該砥石が摩耗すると、砥石の突き出し作業が行われる。まず、調整手段によって固定手段を移動させることによって固定手段による砥石の固定が緩められた後、突き出し手段によって砥石が所望量突き出され、その後、調整手段によって固定手段を移動させることによって固定手段により砥石が固定される。このように、砥石フランジの外周側面における砥石の固定状態を調整手段によって容易に調整でき、突き出し手段によって砥石を容易に突き出しかつ位置決めできるので、砥石の突き出し作業を短時間で行える。
【００１４】
請求項２に記載の砥石固定装置では、突き出し作業時に複数の砥石を同時に突き出すことができるので、突き出し作業を短時間でかつ容易に行える。請求項１１に記載の砥石位置調整方法についても同様である。
請求項３，４に記載の砥石固定装置では、砥石フランジの外周側面における砥石の固定や固定を緩める処理を、複数の砥石について同時に行えるので、突き出し作業を短時間でかつ容易に行える。請求項１３に記載の砥石位置調整方法についても同様である。
【００１５】
請求項５に記載の砥石固定装置では、用いられるクランパは砥石を挟圧するためのテーパ部を有するので砥石に作用する力を実質的に増幅できる。したがって、砥石固定のためにクランパに加える力が小さくても、クランパが砥石を挟圧し固定する力を大きくでき、また、砥石の固定を緩めるためにクランパに加える力が小さくても、クランパによる砥石の挟圧・固定を容易に緩めることができ、装置自体を小型にできる。
請求項６に記載の砥石固定装置では、クランパが砥石フランジの回転中心部（回転軸）からの放射状方向に沿って移動可能に設けられ、クランパに対して調整手段による力を砥石フランジの回転中心部方向から作用できるので、調整手段による力をクランパに効率よく伝えることができ、装置をより小型にできる。
【００１６】
請求項７に記載の砥石固定装置では、砥石の固定を緩める処理等の砥石の固定状態の調整を液体の圧力を利用して行うので、装置の構成を簡単にできる。
請求項８に記載の砥石固定装置では、砥石の固定状態を調整するために利用される液体を増圧する増圧機構を用いることによって、調整手段に与える力が小さくても固定手段に作用する力を大きくでき、砥石の固定状態を容易に調整することができる。
【００１７】
請求項９に記載の砥石固定装置では、砥石の固定が緩められてもそれと同時に砥石が砥石フランジから外れないように、弾性体によって砥石を保持できるので、突き出し作業を安全かつ容易に行える。
請求項１０に記載の砥石固定装置では、固定リングによって複数の砥石を同時に簡単かつ正確に所定量突き出すことができ、各砥石の突き出し量も簡単に等しくできる。また、駆動源等が不要であるのでコストを抑えることができる。請求項１２に記載の砥石位置調整方法についても同様である。
【００１８】
【発明の実施の形態】
以下、図面を参照して、この発明の実施の形態について説明する。
この発明を両頭平面研削盤に適用した場合について説明する。なお、この実施形態では、両頭平面研削盤は、回転可能な砥石軸に取り付けられかつ砥石を固定する砥石固定装置を一対有し、一対の砥石が対向して回転しワークの両面を研削するものであるが、ここでは図面の煩雑化を避けるべく図面には片側だけを描いている。
【００１９】
図１〜図４を参照して、この発明の一実施形態の砥石固定装置１０は、回転可能な砥石軸１２の端面に取り付けられている。すなわち、砥石固定装置１０は砥石フランジ１４を含み、砥石フランジ１４が、回転可能に支持された砥石軸１２の端面にボルト１６によって固定されている。
砥石フランジ１４の外周は略多角形に形成され、砥石フランジ１４の外周側面には、セグメント砥石Ｓを取り付けるための砥石取り付け面１８、クランパ２０を取り付けるための取り付け部２２、およびクランパ２４を取り付けるための取り付け部２６が設けられている。
【００２０】
この実施形態では、セグメント砥石Ｓは１８等分の２０度間隔で取り付けている。クランパ２０は固定クランパであり、その両側面にセグメント砥石Ｓを挟圧するためのテーパ部２０ａを有し、ボルト２８によって砥石と砥石との間に固定されている。クランパ２４は引込可動式クランパであり、その両側面にセグメント砥石Ｓを挟圧するためのテーパ部２４ａを有し、砥石フランジ１４の回転中心部（回転軸１２）からの放射状方向に沿って移動可能に設けられている。固定手段を構成するクランパ２０および２４は、交互にかつそれぞれ９等分の４０度間隔で配置され、クランパ２０とクランパ２４とによってセグメント砥石Ｓの側面が挟圧され、セグメント砥石Ｓが砥石取り付け面１８に固定される。
各クランパ２０，２４の外周にはそれぞれ２枚の板ばね３０が一体的に取り付けられている。板ばね３０によってセグメント砥石Ｓが保持される。
【００２１】
砥石フランジ１４内には、引込可動式の各クランパ２４に対応する位置にそれぞれ油圧シリンダ３２が配置されている。油圧シリンダ３２は、アンクランプ用のピストン３４と、ピストン３４に連結されているロッド３６と、ピストン３４を弾発するクランプ用の皿ばね３８とを含む。
砥石フランジ１４内において、油圧シリンダ３２は配管４０を介して増圧機４２に連結されている。油圧シリンダ３２内の油は、配管４０を介して増圧機４２内の油に一体的に連結されている。したがって、油４４によって油圧シリンダ３２と増圧機４２との間に力（圧力）が伝達可能となる。
【００２２】
増圧機４２は、シリンダ４６とピストン４８とを含み、ピストン４８は複数（この実施形態では９本）の小ピストン５０を有し、小ピストン５０によってシリンダ４６内の油４４を押し出す構造になっている。ピストン４８の背面には、砥石軸１２の中に設けられたエアー用孔５２からエアー５４が供給される。
油圧シリンダ３２、配管４０、増圧機４２を含む調整手段によって、ロッド３６が砥石フランジ１４の中心部方向に引き込まれるとクランパ２４によってセグメント砥石Ｓが固定され、一方、ロッド３６が押し出されるとセグメント砥石Ｓの固定が緩められる。このようなセグメント砥石Ｓの固定および固定を緩める処理は、全セグメント砥石Ｓについて同時に行われる。
【００２３】
コラム５６には突き出し手段を構成する固定リング５８が固定されている。固定リング５８は、全セグメント砥石Ｓの端面を同時に突き出す（押す）ことができるようにリング状に形成されている。
【００２４】
以下、このように構成される砥石固定装置１０の突き出し動作について説明する。
砥石フランジ１４とともにすべてのセグメント砥石Ｓを回転させてたとえば中空円板状のワークＷ（図３参照）を研削することによって、セグメント砥石Ｓが摩耗して突き出し量が短くなり突き出し作業が必要になると、砥石軸１２の回転を停止させ、砥石軸１２を後退移動させ、固定リング５８にセグメント砥石Ｓの後端が当たる手前で砥石軸１２の移動を停止させる。砥石軸１２の停止位置はたとえばセンサで検知される。
【００２５】
つぎに図示しないエアー源からのエアー５４をエアー用孔５２を介してピストン４８の背面に供給する。このエアー５４によってピストン４８が押される。それによって、小ピストン５０、油４４、さらに油圧シリンダ３２のピストン３４が押され、ロッド３６が押し上げられる。その結果、クランパ２４が開かれ全セグメント砥石Ｓが同時にアンクランプされ、固定が緩められる。
このとき、ピストン３４は皿ばね３８の弾発力以上の力でロッド３６を押し上げる必要がある。
【００２６】
このときのピストン３４と小ピストン５０との間には、パスカルの原理により、数１に示す関係式が成立し、増圧機構が構成されていることがわかる。
【数１】
2004136403.tif 000003
【００２７】
図５に示すように、クランパ２４が開かれてセグメント砥石Ｓがアンクランプされ固定が緩められても板ばね３０がセグメント砥石Ｓを保持しているので、セグメント砥石Ｓは落ちたりずれたりしない。
クランパ２４が開かれた後、砥石軸１２をさらに後退させ、全セグメント砥石Ｓを固定リング５８に押し当てて突き出し量Ｈが規定量となるように全セグメント砥石Ｓを同時に突き出す。
【００２８】
突き出しが終わりエアー５４の供給を停止すると、皿ばね３８によってピストン４４が砥石フランジ１４の中心部方向へ押され、これに伴って再びロッド３６およびクランパ２４が砥石フランジ１４内に引き込まれる。すると、クランパ２４のテーパ面２４ａがセグメント砥石Ｓに押しつけられ、クランパ２０と２４とによってセグメント砥石Ｓが挟圧されクランプされる。このようなクランプ処理は、すべてのセグメント砥石Ｓについて同時に行われる。
【００２９】
なお、図６に示すように、クランパ２４はテーパ面２４ａを有しているので、クランパ２４を引き込む力Ｆによってセグメント砥石Ｓをクランプするための分力Ｒが発生する。この分力Ｒは、くさびを打ち込む原理に基づいて発生するものであり、小さな力で大きなクランプ力を発生させることができ、安定した強固なクランプが可能となる。
【００３０】
このような砥石固定装置１０によれば、砥石フランジ１４の外周側面におけるセグメント砥石Ｓの固定状態を調整手段によって容易に調整でき、固定リング５８によってセグメント砥石Ｓを容易に突き出しかつ位置決めできるので、セグメント砥石Ｓの突き出し作業を短時間で行える。
特に、突き出し作業時にすべてのセグメント砥石Ｓを同時に突き出すことができ、さらに、砥石フランジ１４の外周側面における砥石の固定や固定を緩める処理を、すべてのセグメント砥石Ｓについて同時に行える。この場合、従来とは異なり、クランパ２４およびセグメント砥石Ｓに対して、１個１個作業を行わなくてもよいので、突き出し作業をより短時間でかつ容易に行える。
【００３１】
このように突き出し作業が容易になるので、セグメント砥石Ｓの突き出し作業を従来よりも頻繁に行える。したがって、セグメント砥石Ｓの突き出し量Ｈ（押し出し量）を従来より少なくできるので、セグメント砥石Ｓが折れるのを防止できる。なお、セグメント砥石Ｓの突き出し量Ｈは、従来では２５ｍｍ〜３０ｍｍであったのに対し、この実施形態では１５ｍｍ〜２０ｍｍ程度まで短くできる。
【００３２】
また、用いられるクランパ２０，２４はそれぞれセグメント砥石Ｓを挟圧するためのテーパ部２０ａ，２４ａを有するので、セグメント砥石Ｓに作用する力を実質的に増幅できる。したがって、砥石固定のためにクランパ２０，２４に加える力が小さくても、クランパ２０，２４がセグメント砥石Ｓを挟圧し固定する力を大きくでき、また、セグメント砥石Ｓの固定を緩めるためにクランパ２４に加える力が小さくても、クランパ２４によるセグメント砥石Ｓの挟圧・固定を容易に緩めることができ、砥石固定装置１０自体を小型にできる。たとえば従来では１０，０００Ｎ程度の力を要するところを、砥石固定装置１０では３，０００Ｎ程度の力で足りる。
【００３３】
さらに、クランパ２４に対して調整手段による力を砥石フランジ１４の回転中心部方向から作用できるので、調整手段による力をクランパ２４に効率よく伝えることができ、砥石固定装置１０をより小型にできる。
【００３４】
セグメント砥石Ｓの固定を緩める処理（クランパ２４の押し出し動作）を油圧を利用して行い、セグメント砥石Ｓの固定（クランパ２４の引き込み動作）を皿ばね３８を利用して行うので、調整手段ひいては砥石固定装置１０の構成を簡単にできる。
また、増圧機構を用いることによって、調整手段に与える力が小さくてもクランパ２４に作用する力を大きくでき、セグメント砥石Ｓの固定状態を容易に調整することができる。
【００３５】
さらに、セグメント砥石Ｓの固定が緩められてもそれと同時にセグメント砥石Ｓが砥石フランジ１４から外れないように、板ばね３０によってセグメント砥石Ｓを保持できるので、突き出し作業を安全かつ容易に行える。
また、固定リング５８によってすべてのセグメント砥石Ｓを同時に簡単かつ正確に所定量突き出すことができ、各セグメント砥石Ｓの突き出し量も簡単に等しくできる。また、駆動源等が不要であるのでコストを抑えることができる。
【００３６】
なお、上述の実施形態では、クランパ２４の開放動作の駆動源に油圧を使用したが、水圧等の他の液体による圧力を用いてもよく、また、機械リンク構造的にトグル機構などを使用してクランパ２４のクランプ動作を行ってもよい。
アンクランプ時にセグメント砥石Ｓを保持するための弾性体は、板ばね３０に限定されず、樹脂ばね、ベルト、ゴム等であってもよい。
クランパ２０はボルト締めではなく、砥石フランジ１４と一体として形成してもよい。
【００３７】
また、上述の実施形態では、突き出し作業における砥石の固定を緩める処理、突き出し、固定のそれぞれを、すべてのセグメント砥石Ｓについて同時に行う場合について説明したが、これに限定されず、複数の（すべてではない）セグメント砥石Ｓについて同時に行うようにしてもよいことはいうまでもない。
さらに、上述の実施形態では、この発明を両頭平面研削盤に適用した場合について説明したが、これに限定されず、片面研削盤にも適用できる。
【００３８】
【発明の効果】
この発明によれば、砥石フランジの外周側面における砥石の固定状態を調整手段によって容易に調整でき、突き出し手段によって砥石を容易に突き出しかつ位置決めできるので、砥石の突き出し作業を短時間で行える。
また、突き出し作業時に複数の砥石を同時に突き出すことによって、突き出し作業をさらに短時間でかつ容易に行える。
さらに、砥石フランジの外周側面における砥石の固定や固定を緩める処理を、複数の砥石について同時に行うことによって、突き出し作業を一層短時間でかつ容易に行える。
【図面の簡単な説明】
【図１】この発明の一実施形態の砥石固定装置をワークと対向する側から見た正面図解図である。
【図２】図１の実施形態の砥石固定装置を示す平面図解図である。
【図３】図１の実施形態の砥石固定装置を砥石軸に取り付けた状態におけるｆ−ｆ断面を示す図解図である。
【図４】セグメント砥石の一例を示す斜視図である。
【図５】セグメント砥石をアンクランプした状態を示す図解図である。
【図６】セグメント砥石をクランプした状態を示す図解図である。
【図７】従来技術の一例を示す正面図解図である。
【図８】図７の従来技術を示す平面図解図である。
【符号の説明】
１０　　　砥石固定装置
１２　　　砥石軸
１４　　　砥石フランジ
２０，２４　　　クランパ
２０ａ，２４ａ　　　テーパ面
３０　　　板ばね
３２　　　油圧シリンダ
４０　　　配管
４２　　　増圧機
４４　　　油
５２　　　エアー用孔
５４　　　エアー
５８　　　固定リング
Ｓ　　　セグメント砥石
Ｗ　　　ワーク
【図１】
2004136403.tif 000004
【図２】
2004136403.tif 000005
【図３】
2004136403.tif 000006
【図４】
2004136403.tif 000007
【図５】
2004136403.tif 000008
【図６】
2004136403.tif 000009
【図７】
2004136403.tif 000010
【図８】
2004136403.tif 000011